(57)【要約】  高速走行中に空力音を低減するとともに、制動時における冷却性能を向上させ、しかも締結用ボルトを含めて耐久性を向上させることが可能な鉄道車両用ブレーキディスクを提供する。  鉄道車両用ブレーキディスク１は、表面２ａ側を摺動面とするドーナツ形の円板部２と、この円板部２の裏面２ｂに放射状に突設された複数のフィン部３と、円板部２およびフィン部３を貫通するボルト孔４とを備え、ボルト孔４に挿通されたボルトによる締結により、フィン部３が車輪１０の板部１３に圧接した状態で円板部２が車輪に取り付けられるブレーキディスクであって、フィン部３には、円板部２の径方向に見てボルト孔４よりも内周側の領域および外周側の領域の少なくともいずれか一方に、円周方向に沿って溝５ａ、５ｂが形成されている。
2014038621.tif 000002
【特許請求の範囲】
【請求項１】
表面側を摺動面とするドーナツ形の円板部と、前記円板部の裏面に放射状に突設された複数のフィン部と、前記円板部および前記フィン部を貫通するボルト孔とを備え、前記ボルト孔に挿通されたボルトによる締結により、前記フィン部が車輪の板部に圧接した状態で前記円板部が前記車輪に取り付けられる鉄道車両用ブレーキディスクであって、
前記フィン部には、前記円板部の径方向に見て前記ボルト孔よりも内周側の領域および外周側の領域の少なくともいずれか一方に、円周方向に沿って溝が形成されていることを特徴とする鉄道車両用ブレーキディスク。
【請求項２】
前記溝の外周側の面が平面または凹面であることを特徴とする請求の範囲第１項に記載の鉄道車両用ブレーキディスク。
【請求項３】
前記フィン部には、前記内周側の領域および前記外周側の領域に、円周方向に沿って前記溝が形成されていることを特徴とする請求の範囲第１項または第２項に記載の鉄道車両用ブレーキディスク。
【請求項４】
前記溝の深さｈと前記フィン部の高さＨとの比ｈ／Ｈが０．２〜０．８の範囲内であることを特徴とする請求の範囲第１項から第３項までのいずれかに記載の鉄道車両用ブレーキディスク。
【請求項５】
前記フィン部の外周側の領域の円周方向の幅が内周側の領域の円周方向の幅よりも大きいことを特徴とする請求の範囲第１項から第４項までのいずれかに記載の鉄道車両用ブレーキディスク。
【発明の詳細な説明】
【技術分野】
【０００１】
本発明は、鉄道車両における制動装置の基幹部品であるブレーキディスクに関し、特に、摺動面となる円板部がボルトによって車輪に締結される鉄道車両用ブレーキディスクに関する。
【背景技術】
【０００２】
鉄道車両の制動装置としては、車両の高速化や大型化に伴い、制動性に優れたディスクブレーキが多用されている。ディスクブレーキは、ブレーキディスクがボルトによる締結よって車輪に取り付けられており、その摺動面にブレーキライニングが押し付けられることで摩擦抵抗による制動力が発生し、これにより車輪の回転を制動して車両の速度を制御する。【０００３】
図１は、一般的な鉄道車両用ブレーキディスクの車輪への取付け構造を模式的に示す図であって、同図（ａ）は１／４円部分の表面視での平面図を、同図（ｂ）は半円部分の径方向に沿った断面図をそれぞれ示す。図２は、従来の鉄道車両用ブレーキディスクの構成を示す模式図であって、同図（ａ）は裏面側から見た部分斜視図を、同図（ｂ）は裏面視での部分平面図を、同図（ｃ）は径方向に沿った部分断面図をそれぞれ示す。【０００４】
図１および図２に示すように、ブレーキディスク１は、表面２ａ側を摺動面とするドーナツ形の円板部２を備える。この円板部２の裏面２ｂには、放射状に複数のフィン部３が突設されている。複数のフィン部３のうちの幾つかには、半径方向のほぼ中央の位置に、円板部２まで貫通するボルト孔４が形成されている。【０００５】
車輪１０は、車軸が圧入されるボス部１１、レールと接触する踏面を含むリム部１２、およびこれらを連結する板部１３から成る。ブレーキディスク１は、２枚を一組として個々の表面２ａを外向きにした状態で車輪１０の板部１３を挟み込むように配置され、各ボルト孔４にボルト１５が挿通されて、各ボルト１５にナット１６が締め付けられる。これにより、ブレーキディスク１は、フィン部３の先端面３ａが半径方向の全域にわたって車輪１０の板部１３に圧接した状態で、車輪１０に取り付けられる。【０００６】
ここで、時速３００ｋｍを超える速度で走行する新幹線などのような高速鉄道車両の場合、走行時に、ブレーキディスク１が車輪１０と一体で高速回転する。これに伴い、ブレーキディスク１の周辺の空気が、ブレーキディスク１と車輪１０の間に、すなわちブレーキディスク１の円板部２およびフィン部３、並びに車輪１０の板部１３で囲まれた空間に、内周側から吸い込まれ、外周側から放出される（図２中の実線矢印参照）。要するに、鉄道車両の走行中、ブレーキディスク１と車輪１０の間には空気のガス流れが生じる。このガス流れは、時速３００ｋｍを超える高速走行状態で著しくなり、空力音と称される騒音を誘発する。このため、環境への配慮から空力音の低減が必要とされる。【０００７】
この要求への対応策として、例えば特許文献１には、隣り合うフィン部同士の間に、円周方向に沿ってリブを追加し、このリブによってガス流れを抑制したブレーキディスクが開示されている。同文献に開示されるブレーキディスクによれば、空力音を所望のレベルまで低減することができる。ただし、リブによるガス流れの抑制に伴い、制動時にブレーキディスクの冷却性能が低下するという問題が顕在化する。【０００８】
また、高速走行状態から非常ブレーキをかける場合においては、例えば特許文献２、３に記載されている通り、ブレーキディスクの熱膨張に伴う変形、およびそれによる締結用ボルトへの応力負荷が増大し、ブレーキディスクおよびボルトの耐久性を確保することが難しくなる。
【先行技術文献】
【特許文献】
【０００９】
【特許文献１】特開２００７−２０５４２８号公報
【特許文献２】特開２００６−９８６２号公報
【特許文献３】国際公開ＷＯ２０１０／０７１１６９号パンフレット
【発明の概要】
【発明が解決しようとする課題】
【００１０】
本発明は、上記の問題に鑑みてなされたものであり、高速走行中に空力音を低減するとともに、制動時における冷却性能を向上させ、しかも締結用ボルトを含めて耐久性を向上させることが可能な鉄道車両用ブレーキディスクを提供することを目的とする。
【課題を解決するための手段】
【００１１】
本発明者らは、上記目的を達成するため、ブレーキディスクとして、前記図２に示すブレーキディスク、すなわち、表面側を摺動面とする円板部と、この円板部の裏面に突設された複数のフィン部と、円板部およびフィン部を貫通するボルト孔とを備え、ボルト孔に挿通されたボルトによる締結により、フィン部が車輪の板部に圧接した状態で円板部が車輪に取り付けられるブレーキディスクを前提とし、種々の実験および解析を実施して鋭意検討を重ねた結果、下記の（ａ）〜（ｄ）の知見を得た。【００１２】
（ａ）前記特許文献３に記載されている通り、ブレーキディスクの円板部およびフィン部、並びに車輪の板部で囲まれた空間を流れる空気の通気量と、空力音のレベルとの間には、強い相関がある。ここでいう通気量は熱流体解析によって得られ、空力音のレベルは実験により得られたものである。通気量と空力音レベルの間には強い相関があるため、空力音レベルの評価は通気量を指標として行うことができ、空力音を低減するには通気量を低減すればよい。そして、通気量を低減するには、ガス流れにおける圧力損失を増加させるのが有効であり、このためには、ガス流れが起こる空間に、圧力損失を生じやすい角部、またはガス流れ方向と対向する面を設置する必要がある。【００１３】
（ｂ）冷却性能を向上させるには、上記（ａ）に示したガス流れ空間の圧力損失部において、十分な面積を確保することが必要となる。その圧力損失部ではガスとの熱伝達が高くなるからである。【００１４】
（ｃ）図３は、従来のブレーキディスクにおける制動中の熱膨張による変形挙動を誇張して模式的に示す断面図である。制動時、ブレーキディスク１は、ブレーキライニングとの摺動による摩擦によって発熱することから、円板部２およびフィン部３が径方向に熱膨張する様相になる。しかし、フィン部３が径方向の全域にわたって車輪１０の板部１３と圧接しているため、フィン部３の径方向への熱膨張が拘束される。このため、従来のブレーキディスク１の場合、図３に示すように、ブレーキディスク１はフィン部３の先端面３ａの内周側の端と外周側の端を支点にしてアーチ状に変形する。【００１５】
そうすると、締結用ボルト１５には、引張り応力が負荷され、さらには曲げ応力も負荷される。また、繰り返しの制動に伴って、ブレーキディスク１が制動時の熱膨張と制動後の冷却による収縮を繰り返すことから、反り返った状態に塑性変形する。【００１６】
このようなブレーキディスクの熱膨張に伴う変形を低減するには、制動中にフィン部の熱膨張に対する拘束を緩和し、フィン部の径方向への熱伸縮を少なからず許容できるようにすることが必要となる。【００１７】
（ｄ）上記（ａ）〜（ｃ）の知見を踏まえると、前記特許文献１に開示されるブレーキディスクのようなリブを新たに設置することなく、フィン部において、円板部の径方向に見てボルト孔よりも内周側の領域および外周側の領域の少なくともいずれか一方に、円周方向に沿って溝を形成するのがよい。さらには、内周側の領域と外周側の領域に、円周方向に沿って溝を形成するのがよい。フィン部に溝を形成することによって、上記（ａ）、（ｂ）に提示したような圧力損失部がおのずと設置され、上記（ｃ）に提示したようなフィン部の径方向への熱伸縮が少なからず許容されるからである。【００１８】
本発明は、上記（ａ）〜（ｄ）に示す知見に基づいて完成させたものであり、その要旨は、下記の鉄道車両用ブレーキディスクにある。【００１９】
すなわち、本発明の鉄道車両用ブレーキディスクは、表面側を摺動面とするドーナツ形の円板部と、上記円板部の裏面に放射状に突設された複数のフィン部と、上記円板部および上記フィン部を貫通するボルト孔とを備え、上記ボルト孔に挿通されたボルトによる締結により、上記フィン部が車輪の板部に圧接した状態で上記円板部が上記車輪に取り付けられる鉄道車両用ブレーキディスクであって、上記フィン部には、上記円板部の径方向に見て上記ボルト孔よりも内周側の領域および外周側の領域の少なくともいずれか一方に、円周方向に沿って溝が形成されていることを特徴とする。【００２０】
上記発明においては、上記溝の外周側の面が平面または凹面であることが好ましい。【００２１】
また本発明においては、上記フィン部には、上記内周側の領域および上記外周側の領域に、円周方向に沿って上記溝が形成されていることが好ましい。【００２２】
上記のブレーキディスクでは、上記溝の深さｈと上記フィン部の高さＨとの比ｈ／Ｈが０．２〜０．８の範囲内であることが好ましい。【００２３】
また、上記のブレーキディスクでは、上記フィン部の外周側の領域の円周方向の幅が内周側の領域の円周方向の幅よりも大きいことが好ましい。【００２４】
また本発明の鉄道車両用ブレーキディスクは、表面側を摺動面とするドーナツ形の円板部と、この円板部の裏面に放射状に突設された複数のフィン部と、上記円板部および上記フィン部を貫通するボルト孔とを備え、上記ボルト孔に挿通されたボルトによる締結により、上記フィン部が車輪の板部に圧接した状態で上記円板部が上記車輪に取り付けられる鉄道車両用ブレーキディスクであって、上記フィン部には、上記ボルト孔を間に挟む径方向の内周側の領域と外周側の領域に、円周方向に沿って溝が形成されていることを特徴とする。
【発明の効果】
【００２５】
本発明の鉄道車両用ブレーキディスクによれば、ボルト孔が形成されているフィン部に円周方向に沿って溝が形成されているため、高速走行中に空力音を低減することができる上、制動時のブレーキディスクの冷却性能を向上させることができ、しかも、締結用ボルトを含めブレーキディスクの耐久性を向上させることが可能となる。
【図面の簡単な説明】
【００２６】
【図１】一般的な鉄道車両用ブレーキディスクの車輪への取付け構造を模式的に示す図であって、同図（ａ）は１／４円部分の表面視での平面図を、同図（ｂ）は半円部分の径方向に沿った断面図をそれぞれ示す。
【図２】従来の鉄道車両用ブレーキディスクの構成を示す模式図であって、同図（ａ）は裏面側から見た部分斜視図を、同図（ｂ）は裏面視での部分平面図を、同図（ｃ）は径方向に沿った部分断面図をそれぞれ示す。
【図３】従来のブレーキディスクにおける制動中の熱膨張による変形挙動を誇張して模式的に示す断面図である。
【図４】本発明の第２実施形態である鉄道車両用ブレーキディスクの構成の一例を示す模式図であって、同図（ａ）は裏面側から見た部分斜視図を、同図（ｂ）は裏面視での部分平面図を、同図（ｃ）は径方向に沿った部分断面図をそれぞれ示す。
【図５】フィン部における溝の深さが通気量と冷却性能に与える影響を示す図である。
【図６】フィン部における溝の径方向の幅が通気量と冷却性能に与える影響を示す図である。
【図７】本発明の第３実施形態である鉄道車両用ブレーキディスクの構成の一例を示す模式図であって、同図（ａ）は裏面側から見た部分斜視図を、同図（ｂ）は裏面視での部分平面図を、同図（ｃ）は径方向に沿った部分断面図をそれぞれ示す。
【図８】フィン部の円周方向の幅が通気量と冷却性能に与える影響を示す図である。
【図９】本発明の第１実施形態である鉄道車両用ブレーキディスクの構成の一例を示す模式図であって、同図（ａ）は裏面側から見た部分斜視図を、同図（ｂ）は裏面視での部分平面図を、同図（ｃ）は径方向に沿った部分断面図をそれぞれ示す。
【発明を実施するための形態】
【００２７】
本発明の鉄道車両用ブレーキディスクは、表面側を摺動面とするドーナツ形の円板部と、上記円板部の裏面に放射状に突設された複数のフィン部と、上記円板部および上記フィン部を貫通するボルト孔とを備え、上記ボルト孔に挿通されたボルトによる締結により、上記フィン部が車輪の板部に圧接した状態で上記円板部が上記車輪に取り付けられる鉄道車両用ブレーキディスクであって、上記フィン部には、上記円板部の径方向に見て上記ボルト孔よりも内周側の領域および外周側の領域の少なくともいずれか一方に、円周方向に沿って溝が形成されていることを特徴とするものである。
【００２８】
以下に、本発明の鉄道車両用ブレーキディスクの実施形態について詳述する。
本発明においては、フィン部の内周側の領域のみに円周方向に沿って溝が形成されていてもよく、フィン部の外周側の領域のみに円周方向に沿って溝が形成されていてもよく、フィン部の内周側の領域および外周側の領域の両方に円周方向に沿って溝が形成されていてもよい。
以下、フィン部の内周側の領域または外周側の領域のいずれかに円周方向に沿って溝が形成されている態様を第１実施形態、フィン部の内周側の領域および外周側の領域の両方に円周方向に沿って溝が形成されている態様を第２実施形態、またフィン部の外周側の領域の円周方向の幅が内周側の領域の円周方向の幅よりも大きい態様を第３実施形態として、それぞれについて説明する。
なお、本願明細書において、鉄道車両用ディスクブレーキを単にディスクブレーキと称する場合がある。
【００２９】
＜第１実施形態＞
図９は、本発明の第１実施形態である鉄道車両用ブレーキディスクの構成の一例を示す模式図であって、同図（ａ）は裏面側から見た部分斜視図を、同図（ｂ）は裏面視での部分平面図を、同図（ｃ）は径方向に沿った部分断面図をそれぞれ示す。なお、図９（ａ）、（ｂ）では、ブレーキディスクの１／１２円部分を代表的に示している。
【００３０】
図９に示すように、第１実施形態のブレーキディスク１は、表面２ａ側を摺動面とするドーナツ形の円板部２を備える。この円板部２の裏面２ｂには、放射状に複数のフィン部３が突設されている。複数のフィン部３のうちの幾つかには、半径方向のほぼ中央の位置に、円板部２まで貫通するボルト孔４が形成されている。
【００３１】
ボルト孔４が形成されているフィン部３には、円板部２の径方向に見てボルト孔４よりも外周側の領域に、円周方向に沿って溝５ｂが形成されている。さらに、ボルト孔４が形成されていないフィン部３にも、溝５ｂと同一円周上に、同様の溝５ｄが形成されている。
【００３２】
このような構成のブレーキディスク１は、上記図１に示すように、２枚を一組として個々の表面２ａを外向きにした状態で車輪１０の板部１３を挟み込むように配置され、各ボルト孔４にボルト１５が挿通されて、各ボルト１５にナット１６が締め付けられる。これにより、ブレーキディスク１は、フィン部３の先端面３ａが、溝５ｂ、５ｄの形成された領域を除いて車輪１０の板部１３に圧接した状態で、車輪１０に取り付けられる。
【００３３】
第１実施形態のブレーキディスク１では、ボルト孔４が形成されているフィン部３に円周方向に沿って溝５ｂが形成されているため、この溝５ｂの角部、および溝５ｂの外周側の面２０がガス流れの圧力損失部となる。このため、ガス流れが起こる空間を流れる空気の通気量が低減し、その結果として、高速走行中に空力音を低減することができる。その上、円周方向に沿った溝５ｂによって圧力損失部が広範に形成されるので、ガスとの熱伝達が高くなる圧力損失部の面積を十分に確保することが可能となり、その結果として、制動時のブレーキディスク１の冷却性能を向上させることができる。これらの効果は、ボルト孔４が形成されていないフィン部３にも溝５ｄを形成することにより、一層高まる。
【００３４】
しかも、ボルト孔４が形成されているフィン部３に円周方向に沿って溝５ｂが形成されているため、この溝５ｂによってフィン部３の径方向への熱伸縮を許容できるようになる。このため、制動中にフィン部３の熱膨張に対する拘束が緩和され、ブレーキディスク１の熱膨張に伴う変形が低減されることから、締結用ボルトおよびブレーキディスク１への応力負荷が軽減され、その結果として、締結用ボルトを含めブレーキディスク１の耐久性を向上させることが可能となる。
【００３５】
さらに、第１実施形態のブレーキディスク１では、上記特許文献１に開示されるブレーキディスクのようなリブを新たに設置することなく、フィン部３に溝５ｂを形成すればよいので、構成が簡易であり製作性に優れるという利点もある。また、フィン部３に溝５ｂを形成することにより、ブレーキディスク１の軽量化を図ることが可能になる。
【００３６】
なお、図９において、フィン部には、円板部の径方向に見てボルト孔よりも外周側の領域に円周方向に沿って溝が形成されているが、これに限定されるものではなく、フィン部には、円板部の径方向に見てボルト孔よりも内周側の領域に円周方向に沿って溝が形成されていてもよい。フィン部の内周側の領域に円周方向に沿って溝が形成されている場合においても、上記と同様の効果を奏する。
【００３７】
フィン部の内周側の領域または外周側の領域のいずれかに円周方向に沿って溝が形成されている場合、溝が形成される領域はフィン部の内周側の領域および外周側の領域のいずれであってもよい。なお、空力音を低減するには内周側の領域に溝を形成するのが効率的である。通常は内周側の流路の方が狭いため、大きな圧力損失を与えることができるからである。また、冷却能の確保を優先する際には外周側の領域に溝を形成するのが効果的である。圧力損失を与えると同時に表面積を容易に拡大することができるからである。
【００３８】
また、ブレーキディスクがボルト孔が形成されているフィン部とボルト孔が形成されていないフィン部とを備える場合、少なくともボルト孔が形成されているフィン部に円周方向に沿って溝が形成されていればよい。中でも、ボルト孔が形成されているフィン部およびボルト孔が形成されていないフィン部の両方に円周方向に沿って溝が形成されていることが好ましい。上述のように、ボルト孔が形成されていないフィン部にも溝が形成されていることにより、高速走行中の空力音をより一層低減することができ、制動時のブレーキディスクの冷却性能をより一層向上させることができる。
【００３９】
フィン部に形成した溝の形状は特に限定されるものではない。
中でも、溝の外周側の面はガス流れ方向と対向する面になり圧力損失部になることから、溝の外周側の面は平面または凹面であることが好ましい。溝の外周側の面が凸面である場合、ガス流れ方向と対向する面が形成されにくく、また溝の外周側の面において溝の角部が丸みを帯びるまたは無くなってしまい、圧力損失部の面積を十分に確保することが困難になるおそれがある。一方、溝の外周側の面が平面または凹面である場合、ガス流れ方向と対向する面が形成されやすく、また溝の外周側の面において溝の角部が形成されやすく、圧力損失部の面積を十分に確保することができる。また、溝の外周側の面が凹面である場合には、ガス流れ方向と対向する面を大きくすることができ、圧力損失部を増大させることもできる。そのため、高速走行中の空力音をより一層低減することができ、制動時のブレーキディスクの冷却性能をより一層向上させることができる。
ここで、溝の外周側の面において、凹面とは円板部の外周側に向けて凹形状を有する面をいい、凸面とは円板部の内周側に向けて凸形状を有する面をいう。
【００４０】
一方、溝の内周側の面は平面、凹面、凸面のいずれであってもよい。溝の内周側の面が平面または凹面である場合には、上記の場合と同様に、圧力損失を生じやすい溝の角部が形成されやすくなる。
ここで、溝の内周側の面において、凹面とは円板部の内周側に向けて凹形状を有する面をいい、凸面とは円板部の外周側に向けて凸形状を有する面をいう。
【００４１】
また、図９（ｂ）に示すようにフィン部３の外周側の領域に円周方向に沿って溝５ｂが形成されている場合、フィン部３の外周側の領域の円周方向の幅ｔ２はボルト孔４の径よりも大きいことが好ましい。フィン部３の外周側の領域に形成された溝５ｂの円周方向長さが長くなるため、圧力損失部が拡大する。このため、高速走行中の空力音を低減することができ、制動時のブレーキディスク１の冷却性能を向上させることができる。
また、図示しないがフィン部の内周側の領域に円周方向に沿って溝が形成されている場合には、図９（ｂ）に示すようなフィン部３の内周側の領域の円周方向の幅ｔ１がボルト孔４の径よりも大きいことが好ましい。この場合も、上記と同様の効果が得られる。
【００４２】
図９（ｃ）に示すような、フィン部３の先端面３ａから円板部２の裏面２ｂに向けた方向での溝５ｂ、５ｄの深さｈは同一であっても異なっていてもよい。
【００４３】
また、図９（ｃ）に示すように、フィン部３の先端面３ａから円板部２の裏面２ｂに向けた方向での溝５ｂ、５ｄの深さをｈとし、円板部２の裏面２ｂからフィン部３の先端面３ａまでのフィン部３の高さをＨとしたとき、その溝５ｂ、５ｄの深さｈとフィン部３の高さＨの比ｈ／Ｈが、０．２〜０．８の範囲内であることが好ましい。より好ましくは０．４〜０．８の範囲内である。比ｈ／Ｈが上記範囲内であれば、通気量が小さく、かつ放熱量が大きくなり、空力音レベルが低くて、冷却性能が優れるからである。なお、この理由については、後述の第２実施形態に記載するので、ここでの説明は省略する。
また、図９（ｃ）において、フィン部には、円板部の径方向に見てボルト孔よりも外周側の領域に円周方向に沿って溝が形成されているが、フィン部の内周側の領域に円周方向に沿って溝が形成されている場合においても、同様に、溝の深さｈとフィン部の高さＨの比ｈ／Ｈが上記範囲内であることが好ましい。
【００４４】
図９（ｃ）に示すような、フィン部３に形成された溝５ｂ、５ｄの径方向の幅ｗ２は同一であっても異なっていてもよい。
【００４５】
また、図９（ｃ）に示すように、フィン部３に形成された溝５ｂ、５ｄの径方向の幅をｗ２とし、フィン部３の先端面３ａの径方向の全長をＷとしたとき、それらの溝５ｂ、５ｄの径方向の幅ｗ２とフィン部３の先端面３ａの径方向の全長Ｗの比ｗ２／Ｗが０．０５以上であることが好ましい。比ｗ２／Ｗが上記範囲であれば、通気量が小さく、かつ放熱量が大きくなり、空力音レベルが低くて、冷却性能が優れるからである。また、比ｗ２／Ｗの上限は、フィン部によるブレーキディスクの補強効果を確保するために、０．３以下とするのが好ましい。
【００４６】
ブレーキディスクの材質としては、鋳鉄、鋳鋼、鍛鋼、アルミニウム、カーボンなどを採用することができる。
【００４７】
＜第２実施形態＞
図４は、本発明の第２実施形態である鉄道車両用ブレーキディスクの構成の一例を示す模式図であって、同図（ａ）は裏面側から見た部分斜視図を、同図（ｂ）は裏面視での部分平面図を、同図（ｃ）は径方向に沿った部分断面図をそれぞれ示す。なお、図４（ａ）、（ｂ）では、ブレーキディスクの１／１２円部分を代表的に示している。
【００４８】
図４に示すように、第２実施形態のブレーキディスク１は、表面２ａ側を摺動面とするドーナツ形の円板部２を備える。この円板部２の裏面２ｂには、放射状に複数のフィン部３が突設されている。複数のフィン部３のうちの幾つかには、半径方向のほぼ中央の位置に、円板部２まで貫通するボルト孔４が形成されている。
【００４９】
ボルト孔４が形成されているフィン部３には、ボルト孔４を間に挟む径方向の内周側の領域と外周側の領域に、すなわち円板部２の径方向に見てボルト孔４よりも内周側の領域および外周側の領域に、円周方向に沿って溝５ａ、５ｂが形成されている。このフィン部３は、内周側の領域の円周方向の幅ｔ１と外周側の領域の円周方向の幅ｔ２が等しくされている。さらに、ボルト孔４が形成されていないフィン部３にも、それらの溝５ａ、５ｂと同一円周上に、それらと同様の溝５ｃ、５ｄが形成されている。
【００５０】
このような構成のブレーキディスク１は、前記図１に示すように、２枚を一組として個々の表面２ａを外向きにした状態で車輪１０の板部１３を挟み込むように配置され、各ボルト孔４にボルト１５が挿通されて、各ボルト１５にナット１６が締め付けられる。これにより、ブレーキディスク１は、フィン部３の先端面３ａが、溝５ａ〜５ｄの形成された領域を除いて車輪１０の板部１３に圧接した状態で、車輪１０に取り付けられる。
【００５１】
第２実施形態のブレーキディスクは、上記第１実施形態のブレーキディスクと同様の効果を奏する。特に、フィン部の内周側の領域および外周側の領域の両方に円周方向に沿って溝が形成されているため、上述の効果を一層高めることができる。
【００５２】
すなわち、第２実施形態のブレーキディスク１では、ボルト孔４が形成されているフィン部３に円周方向に沿って溝５ａ、５ｂが形成されているため、これらの溝５ａ、５ｂの角部、および溝５ａ、５ｂの外周側の面がガス流れの圧力損失部となる。このため、ガス流れが起こる空間を流れる空気の通気量が低減し、その結果として、高速走行中に空力音を低減することができる。その上、円周方向に沿った溝５ａ、５ｂによって圧力損失部が広範に形成されるので、ガスとの熱伝達が高くなる圧力損失部の面積を十分に確保することが可能となり、その結果として、制動時のブレーキディスク１の冷却性能を向上させることができる。これらの効果は、ボルト孔４が形成されていないフィン部３にも溝５ｃ、５ｄを形成することにより、一層高まる。
【００５３】
しかも、ボルト孔４が形成されているフィン部３に、ボルト孔４を間に挟んで円周方向に沿って溝５ａ、５ｂが形成されているため、これらの溝５ａ、５ｂによってフィン部３の径方向への熱伸縮を許容できるようになる。このため、制動中にフィン部３の熱膨張に対する拘束が緩和され、ブレーキディスク１の熱膨張に伴う変形が低減されることから、締結用ボルトおよびブレーキディスク１への応力負荷が軽減され、その結果として、締結用ボルトを含めブレーキディスク１の耐久性を向上させることが可能となる。
【００５４】
さらに、第２実施形態のブレーキディスク１では、前記特許文献１に開示されるブレーキディスクのようなリブを新たに設置することなく、フィン部３に溝５ａ、５ｂを形成すればよいので、構成が簡易であり製作性に優れるという利点もある。また、フィン部３に溝５ａ、５ｂを形成することにより、ブレーキディスク１の軽量化を図ることが可能になる。
【００５５】
第２実施形態における好ましい態様は、上記第１実施形態における好ましい態様と同様である。
すなわち、ブレーキディスクがボルト孔が形成されているフィン部とボルト孔が形成されていないフィン部とを備える場合、少なくともボルト孔が形成されているフィン部に円周方向に沿って溝が形成されていればよいが、中でもボルト孔が形成されていないフィン部にも円周方向に沿って溝が形成されていることが好ましい。
【００５６】
第２実施形態のブレーキディスク１において、フィン部３に形成した溝５ａ〜５ｄの形状は、特に限定はない。
中でも、上記第１実施形態と同様に、溝の外周側の面は平面または凹面であることが好ましい。一方、溝の内周側の面は平面、凹面、凸面のいずれであってもよい。
【００５７】
また、図４（ｂ）に示すように、フィン部３の内周側の領域の円周方向の幅ｔ１および外周側の領域の円周方向の幅ｔ２はボルト孔４の径よりも大きいことが好ましい。フィン部３に形成された溝５ａ、５ｂの円周方向長さが長くなるため、圧力損失部が拡大する。このため、高速走行中の空力音を低減することができ、制動時のブレーキディスク１の冷却性能を向上させることができる。
【００５８】
図４（ｃ）に示すような、フィン部３の先端面３ａから円板部２の裏面２ｂに向けた方向での溝５ａ〜５ｄの深さｈはそれぞれ同一であっても異なっていてもよい。
【００５９】
また、図４（ｃ）に示すように、フィン部３の先端面３ａから円板部２の裏面２ｂに向けた方向での溝５ａ〜５ｄの深さをｈとし、円板部２の裏面２ｂからフィン部３の先端面３ａまでのフィン部３の高さをＨとしたとき、その溝５ａ〜５ｄの深さｈとフィン部３の高さＨの比ｈ／Ｈが、０．２〜０．８の範囲内であることが好ましい。より好ましくは０．４〜０．８の範囲内である。これは、以下の理由による。
【００６０】
図５は、フィン部における溝の深さが通気量と冷却性能に与える影響を示す図である。同図中、横軸に表示される通気量は、熱流体解析によって得られたものであり、空力音レベルと強い相関があることから、空力音レベルの評価指標として扱える。この通気量が小さいほど、空力音レベルは低いことを意味する。また、縦軸に表示される放熱量は、時速３６０ｋｍで定常走行している場合を想定して熱流体解析を行い、その結果として得られるブレーキディスク１枚あたりの表面の平均熱伝達率と表面積の積算値であり、ブレーキディスクの冷却性能の評価指標として扱える。この放熱量が大きいほど、冷却性能が優れることを意味する。
【００６１】
解析に用いたブレーキディスクのモデルの代表的な条件は、次の通りである。
・材質：鍛鋼
・円板部の内径：４１７ｍｍ、円板部の外径：７１５ｍｍ
・円板部の摺動面からフィン部の先端面までの全高さ：４５ｍｍ
・ボルトによる締結：直径が５６０ｍｍの同一円上に中心が位置する１２個のボルト孔を等角度間隔に形成し、各ボルト孔にボルトを挿通してブレーキディスクと車輪を締結。
【００６２】
ここでは、比ｈ／Ｈを０（溝無し）、０．１、０．２、０．４、０．６、０．８および１．０に変更した。また、前記図４（ｃ）に示すように、フィン部３に形成された内周側の溝５ａ、５ｃの径方向の幅をｗ１とし、外周側の溝５ｂ、５ｄの径方向の幅をｗ２とし、フィン部３の先端面３ａの径方向の全長をＷとしたとき、それらの溝５ａ〜５ｄの合計幅「ｗ１＋ｗ２」とフィン部３の先端面３ａの全長Ｗの比「（ｗ１＋ｗ２）／Ｗ」を０．３と一定にした。
【００６３】
図５に示すように、比ｈ／Ｈが０．２〜０．８の範囲内であれば、通気量が小さく、且つ放熱量が大きくなり、空力音レベルが低くて、冷却性能が優れることが明らかである。ただし、比ｈ／Ｈが０．２の場合は、通気量が同程度となる比ｈ／Ｈが０．４の場合と比較して、放熱量が小さいことから、比ｈ／Ｈの下限を０．４以上とするのがより好ましい。また、比ｈ／Ｈが１．０の場合、すなわち溝深さｈとフィン部高さＨが等しい場合は、溝の所でフィン部が完全に無いため、フィン部によるブレーキディスクの補強効果が減退する点で不適切となる。
【００６４】
図４（ｃ）に示すような、フィン部３に形成された溝５ａ〜５ｄの径方向の幅ｗ１、ｗ２はそれぞれ同一であっても異なっていてもよい。
【００６５】
また、フィン部３に形成された内周側の溝５ａ、５ｃと外周側の溝５ｂ、５ｄの合計幅「ｗ１＋ｗ２」とフィン部３の先端面３ａの全長Ｗの比「（ｗ１＋ｗ２）／Ｗ」は、０．１以上であることが好ましい。より好ましくは０．１５以上である。これは、以下の理由による。
【００６６】
図６は、フィン部における溝の幅が通気量と冷却性能に与える影響を示す図である。同図中、横軸、縦軸にそれぞれ表示される通気量、放熱量は、前記図５に示すものと同じである。解析に用いたブレーキディスクのモデルの代表的な条件も同様であるが、ここでは、比「（ｗ１＋ｗ２）／Ｗ」を０（溝無し）、０．１、０．１５、０．３および０．４５に変更した。また、比ｈ／Ｈを０．６と一定にした。
【００６７】
図６に示すように、比「（ｗ１＋ｗ２）／Ｗ」が０．１以上であれば、通気量が小さく、且つ放熱量が大きくなり、空力音レベルが低くて、冷却性能が優れることが明らかである。ただし、比「（ｗ１＋ｗ２）／Ｗ」が０．１の場合は、通気量が同程度となる比「（ｗ１＋ｗ２）／Ｗ」が０．１５の場合と比較して、放熱量が小さいことから、比「（ｗ１＋ｗ２）／Ｗ」を０．１５以上とするのがより好ましい。また、比「（ｗ１＋ｗ２）／Ｗ」の上限は、フィン部によるブレーキディスクの補強効果を確保するために、０．６以下とするのが好ましい。
【００６８】
ブレーキディスク１の材質については、上記第１実施形態と同様である。上述の解析に用いたブレーキディスクのモデルの代表的な条件として材質は鍛鋼としたが、材質によらず同様の効果が得られる。
【００６９】
＜第３実施形態＞
図７は、本発明の第３実施形態である鉄道車両用ブレーキディスクの構成の一例を示す模式図であって、同図（ａ）は裏面側から見た部分斜視図を、同図（ｂ）は裏面視での部分平面図を、同図（ｃ）は径方向に沿った部分断面図をそれぞれ示す。なお、図７（ａ）、（ｂ）では、図４（ａ）、（ｂ）と同様に、ブレーキディスクの１／１２円部分を代表的に示している。
【００７０】
図７に示す第３実施形態のブレーキディスクは、前記図４に示す第２実施形態のブレーキディスクと基本構成は同じであるが、以下の点で前記第２実施形態とは相違する。すなわち、図７に示すように、第３実施形態のフィン部３は、外周側の領域の円周方向の幅ｔ２が内周側の領域の円周方向の幅ｔ１よりも大きくされている。
【００７１】
第３実施形態のブレーキディスク１では、前記第２実施形態のブレーキディスク１と比較し、フィン部３に形成された外周側の溝５ｂ、５ｄの円周方向長さが長くなるため、圧力損失部が拡大する。このため、より一層、高速走行中の空力音を低減することができ、制動時のブレーキディスク１の冷却性能を向上させることができる。
【００７２】
また、図９に示すブレーキディスクは、上記図７に示すブレーキディスクと同様に、フィン部３は、外周側の領域の円周方向の幅ｔ２が内周側の領域の円周方向の幅ｔ１よりも大きくされている。
この場合も、上記と同様に、フィン部３の外周側の領域に形成された溝５ｂの円周方向長さが長くなるため、圧力損失部が拡大する。このため、高速走行中の空力音を低減することができ、制動時のブレーキディスク１の冷却性能を向上させることができる。
【００７３】
図８は、フィン部の円周方向の幅が通気量と冷却性能に与える影響を示す図である。同図中、横軸、縦軸にそれぞれ表示される通気量、放熱量は、前記図５に示すものと同じである。解析に用いたブレーキディスクのモデルの代表的な条件も同様であるが、ここでは、本発明例１としてフィン部の円周方向の幅を２７ｍｍと一定にしたもの（第２実施形態に相当）、本発明例２としてフィン部の円周方向の幅を内周側で２７ｍｍ、外周側で５４ｍｍと外周側を大きくしたもの（第３実施形態に相当）をそれぞれ用い、いずれも、比ｈ／Ｈを０．６、比「（ｗ１＋ｗ２）／Ｗ」を０．３と一定にした。また、比較のために、フィン部に溝を形成することなく、フィン部の円周方向の幅を２７ｍｍと一定にしたものを用いた。
【００７４】
図８中の白抜き四角印で示す本発明例２のように、フィン部の円周方向の幅を内周側よりも外周側で大きくすれば、空力音レベルの低減と冷却性能の向上がともに顕著になることが明らかである。
【００７５】
また、第３実施形態でも、締結用ボルトおよびブレーキディスクへの応力負荷が軽減され、締結用ボルトを含めブレーキディスクの耐久性を向上させることが可能となる。これを実証する解析結果を下記の表１に示す。
【００７６】
【表１】
2014038621.tif 000003
【００７７】
ここでは、前記図８に示す本発明例２および比較例と同じ条件のモデルを用いてＦＥＭによる変形解析を行い、締結用ボルトの曲げ応力変動および引張り応力変動を算出し、さらにブレーキディスクの変形量を算出した。それらのうち、締結用ボルトの応力変動は、時速３６０ｋｍで走行している際に非常ブレーキを１回かけた場合を想定し、そのときにボルトに発生する応力変動（最大応力−最小応力）を求めたものである。また、ブレーキディスクの変形量は、時速３６０ｋｍで走行している際に非常ブレーキを３回かけ、その後にブレーキディスクを冷却した場合を想定し、冷却後におけるブレーキディスクの反り（初期状態に対する軸方向変位の最大値）を求めたものである。
【００７８】
表１に示す結果から、第３実施形態に相当する本発明例２では、フィン部に溝の無い比較例と比べて、締結用ボルトの応力変動およびブレーキディスクの変形量がいずれも小さくなり、締結用ボルトを含めブレーキディスクの耐久性を向上できることがわかる。
【産業上の利用可能性】
【００７９】
本発明の鉄道車両用ブレーキディスクは、あらゆる鉄道車両のディスクブレーキに有効に利用することができ、中でも、高速鉄道車両に有用である。
【符号の説明】
【００８０】
１：ブレーキディスク、
２：円板部、    ２ａ：表面、    ２ｂ：裏面、
３：フィン部、    ３ａ：先端面、    ４：ボルト孔、
５ａ、５ｂ、５ｃ、５ｄ：溝、
１０：車輪、    １１：ボス部、    １２：リム部、    １３：板部、
１５：ボルト、    １６：ナット
２０：溝の外周側の面
【図１】
2014038621.tif 000004
【図２】
2014038621.tif 000005
【図３】
2014038621.tif 000006
【図４】
2014038621.tif 000007
【図５】
2014038621.tif 000008
【図６】
2014038621.tif 000009
【図７】
2014038621.tif 000010
【図８】
2014038621.tif 000011
【図９】
2014038621.tif 000012
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
表面側を摺動面とするドーナツ形の円板部と、前記円板部の裏面に放射状に突設された複数のフィン部と、前記円板部および前記フィン部を貫通するボルト孔とを備え、前記ボルト孔に挿通されたボルトによる締結により、前記フィン部が車輪の板部に圧接した状態で前記円板部が前記車輪に取り付けられる鉄道車両用ブレーキディスクであって、
前記フィン部には、前記円板部の径方向に見て前記ボルト孔よりも内周側の領域および外周側の領域の両方に、円周方向に沿って溝が形成され、
前記フィン部における前記内周側の領域および前記外周側の領域にそれぞれ形成された前記溝の外周側の面であって、前記フィン部の先端面に隣接する面が、前記円板部の径方向に見て内周側を向いていることを特徴とする鉄道車両用ブレーキディスク。
【請求項２】
前記溝の外周側の面が平面または凹面であることを特徴とする請求の範囲第１項に記載の鉄道車両用ブレーキディスク。
【請求項３】
前記溝の深さｈと前記フィン部の高さＨとの比ｈ／Ｈが０．２〜０．８の範囲内であることを特徴とする請求の範囲第１項または第２項に記載の鉄道車両用ブレーキディスク。
【請求項４】
前記フィン部の外周側の領域の円周方向の幅が内周側の領域の円周方向の幅よりも大きいことを特徴とする請求の範囲第１項から第３項までのいずれかに記載の鉄道車両用ブレーキディスク。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
表面側を摺動面とするドーナツ形の円板部と、前記円板部の裏面に放射状に突設された複数のフィン部と、前記円板部および前記フィン部を貫通するボルト孔とを備える鉄道車両用ブレーキディスクであって、
前記フィン部には、前記円板部の径方向に見て前記ボルト孔よりも内周側の領域および外周側の領域の両方に、円周方向に沿って溝が形成され、
前記フィン部における前記内周側の領域および前記外周側の領域にそれぞれ形成された前記溝の外周側の面であって、前記フィン部の先端面に隣接する面が、前記円板部の径方向に見て内周側を向いていることを特徴とする鉄道車両用ブレーキディスク。
【請求項２】
前記溝の外周側の面が平面または凹面であることを特徴とする請求の範囲第１項に記載の鉄道車両用ブレーキディスク。
【請求項３】
前記溝の深さｈと前記フィン部の高さＨとの比ｈ／Ｈが０．２〜０．８の範囲内であることを特徴とする請求の範囲第１項または第２項に記載の鉄道車両用ブレーキディスク。
【請求項４】
前記フィン部の外周側の領域の円周方向の幅が内周側の領域の円周方向の幅よりも大きいことを特徴とする請求の範囲第１項から第３項までのいずれかに記載の鉄道車両用ブレーキディスク。
【国際調査報告】
2014038621.tif 000013
2014038621.tif 000014
2014038621.tif 000015
2014038621.tif 000016